(57)【要約】【課題】ケース内に収納したシート類が左右に動くのを規制して不揃いとならないようにするとともに、シート類を取り出しやすくしたシート類収納ケースを提供する。【解決手段】正面板、正面板に対向する背面板、第１の側板、第１の側板に対向する第２の側板、蓋板および底板により直方体に形成されているシート類を収納するシート類収納ケースにおいて、正面板の上部には、収納されたシート類の動きを規制する連結板１９を両側に備えたシート類規制板１８が配置され、シート類規制板１８は連結板１９により正面板の上縁に下方向に且つ背面板側に移動可能に連結され、背面板には、蓋板との折曲線より下側に、蓋板の引き下げにより切り開かれて収納されたシート類が現れる凹部を形成する切り開き線１３が形成されている。【選択図】図３
2019206381.tif 000002
【特許請求の範囲】
【請求項１】
正面板、正面板に対向する背面板、第１の側板、第１の側板に対向する第２の側板、蓋板および底板により直方体に形成されているシート類を収納するシート類収納ケースにおいて、
前記正面板の上部には、収納されたシート類の左右の動きを規制する連結板を両側に備えたシート類規制板が配置され、
前記シート類規制板は前記連結板により前記正面板の上縁に下方向に且つ前記背面板側に移動可能に連結され、
前記背面板には、前記蓋板との折曲線より下側に、前記蓋板の引き下げにより切り開かれて収納されたシート類が現れる凹部を形成する切り開き線が形成されていることを特徴とするシート類収納ケース。
【請求項２】
前記シート類収納ケース内は、前記正面板と前記背面板に固定された仕切り板により仕切られてシート類を収納する複数のシート類収納部が形成されていることを特徴とする請求項１に記載のシート類収納ケース。
【請求項３】
前記シート類規制板には、上部に指が通るとともにシート類が摘まめる深さの溝が形成されていることを特徴とする請求項１又は２に記載のシート類収納ケース。
【請求項４】
前記蓋板には、前記正面板に保持されている名札が目視可能な開口を有する蓋板を係止する蓋板係止板が連接されていることを特徴とする請求項１〜３のいずれか１項に記載のシート類収納ケース。
【発明の詳細な説明】
【技術分野】
【０００１】
本発明は、名刺、カード、札、写真、ハガキあるいはチケットのようなシート類を収納するシート類収納ケースに関する。
【背景技術】
【０００２】
シート類を収納するケースとして直方体をした収納ケースが利用されており、例えば、特許文献１には、名刺等の収納ケースとして、従来の収納ケースと同じような収容量でありながら郵送等運送時に封筒に納める際にはおよそ半分の厚さに薄くすることができるような収納ケースとして、２個の箱を互いの蓋フラップで接続することによって互いに相手の蓋となるように構成し、従来の同型同大のケースと比較して同じような収容量でありながら、郵送等運送時には蓋を開くようにすることでおよそ半分の厚さになり封筒に納めることが出来るようになる収納ケースが開示されている。
【０００３】
また、特許文献２には、名刺は、通常、１００枚単位で印刷され、１００枚入りの箱に入れて配送されているが、１００枚入りの箱では、厚み寸法が高くなり、一箱だけを郵送する際にも、大型封筒に入れて郵送しなければならず、郵送費が高くなるという欠点があることから、名刺、トランプまたは花札等のカード類が安価に郵送できるとともに、使い勝手のよい郵送用カードホルダーとして、外形の厚み寸法が１センチメートル以内のケース本体を設け、ケース本体内に、カードを複数枚重ねて入れるカード収納部を、複数箇所に分けて設けた郵送用カードホルダーが開示されている。
【先行技術文献】
【特許文献】
【０００４】
【特許文献１】特開２０１２−１９２９７４号公報
【特許文献２】実用新案登録第３１３８７０７号公報
【発明の概要】
【発明が解決しようとする課題】
【０００５】
前記各特許文献のような直方体状の収納ケースでは、収納されたシート類が配送等の取扱中に左右に動いて不揃いの状態になってシート類がケースから取り出しにくかったり、あるいはケースから取り出した後のシート類を揃えたりしなくてはならないという不都合が生じる場合があった。
【０００６】
そこで、本発明は、ケース内に収納したシート類が左右に動くのを規制して不揃いとならないようにするとともに、シート類を取り出しやすくしたシート類収納ケースを提供するものである。
【課題を解決するための手段】
【０００７】
本願の請求項１の発明は、正面板、正面板に対向する背面板、第１の側板、第１の側板に対向する第２の側板、蓋板および底板により直方体に形成されているシート類を収納するシート類収納ケースにおいて、前記正面板の上部には、収納されたシート類の動きを規制する連結板を両側に備えたシート類規制板が配置され、前記シート類規制板は前記連結板により前記正面板の上縁に下方向に且つ前記背面板側に移動可能に連結され、前記背面板には、前記蓋板との折曲線より下側に、前記蓋板の引き下げにより切り開かれて収納されたシート類が現れる凹部を形成する切り開き線が形成されていることを特徴とするシート類収納ケースである。
【０００８】
本願の請求項２の発明は、前記シート類収納ケース内は、前記正面板と前記背面板に固定された仕切り板により仕切られてシート類を収納する複数のシート類収納部が形成されていることを特徴とする請求項１に記載のシート類収納ケースである。
【０００９】
本願の請求項３の発明は、前記シート類規制板には、上部に指が通るとともにシート類が摘まめる深さの溝が形成されていることを特徴とする請求項１又は２に記載のシート類収納ケースである。
【００１０】
本願の請求項４の発明は、前記蓋板には、前記正面板に保持されている名札が目視可能な開口を有する蓋板を係止する蓋板係止板が連接されていることを特徴とする請求項１〜３のいずれか１項に記載のシート類収納ケースである。
【発明の効果】
【００１１】
本願発明は、正面板の上辺の両側に連結板によりシート類規制板が連結されているので、ケース内に収納したシート類が正面板に沿った方向に動くのを規制することができるため、シート類の取り出しあるいは取り出し後の取り扱いに手間がかからなくなる。
【００１２】
本願発明は、蓋板により切り開かれて凹部を形成する切り開き線が形成され、シート類規制板の上部には、指が通るとともにシート類が摘まめる深さの溝が形成されているので、収納されているシート類の上部の両側を指で摘まんでシート類を容易に取り出すことができる。
【図面の簡単な説明】
【００１３】
【図１】実施例１のシート類収納ケースの組み立てに使用するブランクを示す図である。
【図２】実施例１のシート類収納ケースの組み立て手順の説明図である。
【図３】実施例１のシート類収納ケースの組み立て手順の説明図である。
【図４】実施例１のシート類収納ケースの組み立て手順の説明図である。
【図５】実施例１のシート類収納ケースへのシート類収納の説明図である。
【図６】実施例２のシート類収納ケースの組み立てに使用するブランクを示す図である。
【図７】実施例２のシート類収納ケースの組み立て手順の説明図である。
【図８】実施例２のシート類収納ケースの組み立て手順の説明図である。
【図９】実施例２のシート類収納ケースの組み立て手順の説明図である。
【図１０】実施例２のシート類収納ケースへのシート類収納の説明図である。
【図１１】実施例２のシート類収納ケースへのシート類収納の説明図である。
【図１２】実施例２のシート類収納ケースへのシート類収納の説明図である。
【図１３】実施例２のシート類収納ケースのシート類取り出しの説明図である。
【発明を実施するための形態】
【００１４】
本発明のシート類収納ケース（以下「収納ケース」という。）の実施例について図を参照しながら説明する。
【実施例１】
【００１５】
実施例１の収納ケースは厚紙やＰＥＴ製シートなどからなる１枚のブランクで形成され、図１に示すように、収納ケースを展開した形のブランクは、背面板１、第１の側面板２、正面板３、第２の側面板４が、折曲線６を介して折り曲げ可能に順次一体に連設されている。
【００１６】
背面板１の上側には蓋板７及び蓋板７に次いで、正面板３の裏側に差し込んで蓋板７を係止する蓋板係止板８が折曲線６を介して折り曲げ可能に順次一体に連設されるとともに、下側には底板９が折曲線６を介して折り曲げ可能に一体に連設されている。
【００１７】
背面板１の蓋板７側には、蓋板係止板８とともに蓋板７を折曲線６より下側に引いて背面板１の一部を凹形に切り開らいて収納されているシート類が現れる凹部２７を形成する切り開き線１３が形成されている。また、背面板１と底板９の折曲線６には、正面板３の底板９に形成された係止片１４を差し込む切り込み１５が形成されている。
【００１８】
第１の側面板２，第２の側面板４には、上側に天フラップ１６、下側に底フラップ１７が折曲線６を介してそれぞれ一体に連設されている。
【００１９】
正面板３の上縁には、正面板３から切り離されて分離された状態で且つ両側が正面板３のそれぞれの連結板１９に連結され、シート類の左右の動きを規制するシート類規制板１８が連結され、連結板１９は連結板１９の上下の折曲線６を介してケース内に折り曲げ可能に連設されている。
【００２０】
次に実施例１の収納ケースの組立及び使用方法の手順について説明する。なお、手順は適宜変更できる。
【００２１】
図２に示すように、背面板１、第１の側面板２、正面板３、第１の側面板２、第２の側面板４を、折曲線６を介して内側に折り曲げ、第２の側面板４の接着片４ａを背面板１に貼着して直方体断面の筒状に組立てる。こうして折り曲げ、貼着された組み立て品は、蓋板７、底板９、天フラップ１６、底フラップ１７は折り曲げずに、扁平に畳んだ状態で使用先に運ばれる。
【００２２】
収納ケースに組み立てる際は、図３に示すように扁平な状態の組み立て品を起こし、底板９を重ね、底板９の係止片１４を切り込み１５（図１参照）に差し込んで直方体に組み立て、シート類規制板１８を下側に押し込むと、シート類規制板１８はシート類規制板１８の両側の連結板１９に支持された状態で背面板１側に寄せられる。収納ケースに、例えばカードＣを収納し、図４に示すように、カードＣを収納後、蓋板係止板８を正面板３の裏側に差し込んで係止する。
【００２３】
シート類を収納した収納ケースを開封する場合には、図５に示すように、蓋板係止板８を正面板３から外し、さらに、蓋板係止板８とともに蓋板７を下側に向けて引いて切り開き線１３（図３参照）を切断しながら背面板１に凹形が切り開らかれて凹部２７（図３参照）にカードＣが現れ、カードＣを摘まんで取り出すことができる。
【実施例２】
【００２４】
実施例２の収納ケースは、図６に示すように、収納ケースを展開した形のブランクは、背面板１、第１の側面板２、正面板３、第１の側面板２に対向する第２の側面板４及び仕切り板５が、折曲線６を介して折り曲げ可能に順次一体に連設されている。
【００２５】
背面板１の上側には蓋板７及び蓋板７の上に正面板３をカバーして蓋板７を係止する蓋板係止板８が折曲線６を介して折り曲げ可能に順次一体に連設されるとともに、下側には底板９が折曲線６を介して折り曲げ可能に一体に連設されている。蓋板係止板８には開口１０が形成されており、開口１０を通して正面板３に保持されている名札１１（図１１、図１２参照）が目視可能となっている。名札１１は、その対角する両角が正面板３の切り込み１２に差し込まれて保持される。名札１１には、配送先の住所、氏名電話番号などが表示される。
【００２６】
背面板１の蓋板７側には、蓋板係止板８とともに蓋板７を折曲線６より下側に向けて背面板１の一部を凹形に切り開らいて凹部２７を形成する切り開き線１３が形成されている。また、背面板１と底板９の折曲線６には、正面板３の底板９に形成された係止片１４を差し込む切り込み１５が形成されている。
【００２７】
両側の第１の側面板２，第２の側面板４には、上側に天フラップ１６、下側に底フラップ１７が折曲線６を介してそれぞれ一体に連設されている。
【００２８】
正面板３の上縁には、正面板３から切り離されて分離された状態で且つ両側が正面板３のそれぞれの連結板１９に連結されてシートの左右の動きを規制するシート類規制板１８が連結され、連結板１９は連結板１９の上下の折曲線６を介してケース内に折り曲げ可能に連設されている。
【００２９】
シート類規制板１８の上部には、指が通る一対の溝２０が間隔をおい形成されており、下側には、仕切り板５を跨ぐ凹み２１が形成されている。正面板３の上縁の高さは、収納するシート類の高さより低く、背面板１の切り開き線１３の切り開きで形成される凹部２７の底辺と同じ高さにして、シート類を取り出す際にシート類が掴めるようにする。
【００３０】
なお、名刺２枚分の幅では定形外郵便の最小寸法の幅が１４ｃｍより小さすぎて対応できないが、シート類規制板１８の幅を１４ｃｍ以上にして定形外郵便の規定サイズにすることもできる。
【００３１】
正面板３と底板９の折曲線６には、蓋板係止板８の上部の差込片２５を差し込むための差込口２６が形成されている。
【００３２】
第２の側板４に延設されている仕切板５は、仕切り壁板２２とその両側に接着剤が塗布された貼着板２３，２４が連設され、仕切り壁板２２とその両側の貼着板２３，２４がコ字状に曲げられて、貼着板２３を背面板１に、貼着板２４を正面板３に貼着して固定し、収納ケース内を２列に仕切る。
【００３３】
次に本発明の収納ケースの組立及び使用方法の手順について説明する。なお、手順は適宜変更でき、図２と図３は説明し易くするため、図７は収納ケースの内側から見た図、図８は正面から見た図で説明する。
【００３４】
図７、図８において、第２の側面板４を正面板３から起こして仕切り板５を正面板３と平行に折り曲げ、仕切り板５の仕切り壁板２２とその両側の接着剤が塗布された貼着板２３，２４をコ字状に曲げ、貼着板２４を正面板３に貼着して固定する。
【００３５】
貼着板２４を固定した正面板３を第１の側面板２から起こし、背面板１と平行に折り曲げ、折り曲げた背面板１に貼着板２３を貼着して固定すると、仕切り壁板２２で仕切られて２列のシート類収納部が形成される。
【００３６】
こうして折り曲げ、貼着された組み立て品は、蓋板係止板８は背面板１側に折り曲げ、蓋板７、底板９、天フラップ１６、底フラップ１７は折り曲げずに、扁平に畳まれた状態で運ばれる。
【００３７】
収納ケースに組み立てる際は、図９に示すように扁平な組み立て品を起こし、底板９を重ね、底板９の係止片１４を切り込み１５（図６参照）に差し込んで直方体に組み立てる。組み立て品を起こすと仕切り壁板２２は自動的に起き上がって仕切りが形成される。
【００３８】
シート類規制板１８を下側に押し込むと、シート類規制板１８はシート類規制板１８の両側の連結板１９に支持された状態で背面板１側に寄せられる。
【００３９】
図１０に示すように、収納ケースにカードＣを収納する際は、仕切り壁板で仕切られた２列のシート類収納部に入れる。例えば、名刺１００枚を収納する場合には、５０枚ずつに分けて収納する。
【００４０】
図１１に示すように、カードＣを収納後、正面板３の対向する切り込み１２に名札１１の角を差し込んで固定した後、図１２に示すように、蓋板係止板８を正面板３に被せるとともに、蓋板７で蓋し、蓋板係止板８の差込片２５を背面板１の差込口２６（図１参照）に差し込んで係止する。蓋板係止板８の開口１０からは名札１１の住所、氏名を見ることができる。
【００４１】
シート類を収納した収納ケースを開封する場合には、図１３に示すように、蓋板係止板８の差込片２５を背面板の差込口２６から外して蓋板係止板８を開き、さらに、蓋板係止板８とともに蓋板７を下側に向けて引いて切り開き線１３を切断しながら背面板１に凹形が切り開らかれて凹部２７の上方にシート類が現れる。シート類規制板１８の上部の溝２０に指を通してカードＣを摘まんで容易に上方に取り出すことができる。
【符号の説明】
【００４２】
１：背面板
２：第１の側面板
３：正面板
４：第２の側面板
５：仕切り板
６：折曲線
７：蓋板
８：カバー
９：底板
１０：開口
１１：名札
１２：切り込み
１３：切り開き線
１４：係止片
１５：切り込み
１６：天フラップ
１７：底フラップ
１８：シート類規制板
１９：連結板
２０：溝
２１：凹み
２２：仕切り壁板
２３：貼着板
２４：貼着板
２５：差込片
２６：差込口
２７：凹部
【図１】
2019206381.tif 000003
【図２】
2019206381.tif 000004
【図３】
2019206381.tif 000005
【図４】
2019206381.tif 000006
【図５】
2019206381.tif 000007
【図６】
2019206381.tif 000008
【図７】
2019206381.tif 000009
【図８】
2019206381.tif 000010
【図９】
2019206381.tif 000011
【図１０】
2019206381.tif 000012
【図１１】
2019206381.tif 000013
【図１２】
2019206381.tif 000014
【図１３】
2019206381.tif 000015